(57)【要約】【課題】燃料タンクの損傷を回避し易いものでありながら、燃料タンクに対する作業を行ない易いトウモロコシ収穫機を提供する。【解決手段】走行車体の横一端部における前走行装置１と後走行装置２との間に配備され、エンジンに燃料供給する燃料タンク３０を備えてある。燃料タンク３０の車体横外側方を覆うカバー状態と燃料タンク３０の車体横外側方を開放したカバー解除状態とに切換え自在なサイドカバー３１を備えてある。【選択図】図１
2014198008.tif 000002
【特許請求の範囲】
【請求項１】
左右一対の前走行装置及び左右一対の後走行装置を有した走行車体と、
前記走行車体の前部に連結され、圃場からトウモロコシを収穫する収穫装置と、
前記走行車体の横一端部における前記前走行装置と前記後走行装置との間に配備され、エンジンに燃料供給する燃料タンクと、
前記燃料タンクの車体横外側方を覆うカバー状態と前記燃料タンクの車体横外側方を開放したカバー解除状態とに切換え自在なサイドカバーと、
を備えたトウモロコシ収穫機。
【請求項２】
前記燃料タンクが前記走行車体の前部に設けた運転部と前記走行車体の後部に設けたトウモロコシ回収タンクとの間に位置し、
前記サイドカバーの走行車体前後方向長さを、前記サイドカバーの前端が前記燃料タンクと前記運転部との間に位置し、前記サイドカバーの後端が前記燃料タンクと前記トウモロコシ回収タンクとの間に位置する走行車体前後方向長さに設定してある請求項１に記載のトウモロコシ収穫機。
【請求項３】
前記トウモロコシ回収タンクを、走行車体前後向きの揺動軸芯まわりに揺動自在に支持され、トウモロコシ出入口が走行車体横外向きになった排出姿勢と、前記トウモロコシ出入口が走行車体上方向きになった貯留姿勢とに切り換わるように構成してある請求項２に記載のトウモロコシ収穫機。
【請求項４】
前記燃料タンクの上方に作業台を備えている請求項１〜３のいずれか一項に記載のトウモロコシ収穫機。
【請求項５】
前記サイドカバーが前記カバー状態と前記カバー解除状態とに揺動軸芯まわりに切換え自在に支持されている請求項１〜４のいずれか一項に記載のトウモロコシ収穫機。
【請求項６】
前記揺動軸芯が走行車体上下向きに設定されている請求項５に記載のトウモロコシ収穫機。
【請求項７】
前記揺動軸芯が走行車体前後向きに設定されている請求項５に記載のトウモロコシ収穫機。
【請求項８】
前記揺動軸芯が前記カバー状態のサイドカバーの上端側に位置している請求項７に記載のトウモロコシ収穫機。
【請求項９】
前記サイドカバーの前記カバー解除状態での取付姿勢を水平又はほぼ水平の取付姿勢に設定してある請求項８に記載のトウモロコシ収穫機。
【請求項１０】
前記燃料タンクの上方に作業台を備え、
前記サイドカバーを、前記走行車体に装備されて前記作業台を支持する作業台支持フレームに支持してある請求項１〜９のいずれか一項に記載のトウモロコシ収穫機。
【請求項１１】
前記サイドカバーを揺動自在に支持するヒンジが前記サイドカバーと前記作業台支持フレームとに連結されている請求項１０に記載のトウモロコシ収穫機。
【請求項１２】
前記サイドカバーを前記カバー解除状態に突張り支持によって固定するロック状態と、前記サイドカバーに対する突張り支持を解除したロック解除状態とに切換え自在な突張り手段を備えてある請求項１〜１１のいずれか一項に記載のトウモロコシ収穫機。
【請求項１３】
前記燃料タンクの上方に作業台を備え、
前記突張り手段を、前記走行車体に装備されて前記作業台を支持する作業台支柱に支持されるように構成してある請求項１２に記載のトウモロコシ収穫機。
【請求項１４】
前記突張り手段が屈伸リンクである請求項１２又は１３に記載のトウモロコシ収穫機。
【請求項１５】
前記サイドカバーを前記カバー状態に固定するロック具を備えてある請求項１〜１４のいずれか一項に記載のトウモロコシ収穫機。
【請求項１６】
前記サイドカバーを前記カバー解除状態に突張り支持によって固定する伸展状態と、前記サイドカバーの突っ張り支持を解除した屈曲状態とに切換え自在な屈伸リンクを備え、
前記ロック具を、前記サイドカバー及びロック具支持部に対して装着されることによって前記サイドカバーをカバー状態に固定するように構成し、かつ前記サイドカバー及び前記ロック具支持部から取り外して前記屈伸リンクに装着されることによって前記屈伸リンクを前記伸展状態に固定するように構成してある請求項１５に記載のトウモロコシ収穫機。
【請求項１７】
前記サイドカバーの走行車体前方側の端部の形状を、走行車体後方側ほど走行車体横外側に位置する傾斜形状にしてある請求項１〜１６のいずれか一項に記載のトウモロコシ収穫機。
【発明の詳細な説明】
【技術分野】
【０００１】
本発明は、左右一対の前走行装置及び左右一対の後走行装置を有した走行車体と、前記走行車体の前部に連結され、圃場からトウモロコシを収穫する収穫装置とを備えたトウモロコシ収穫機に関する。
【背景技術】
【０００２】
従来、特許文献１に示されるように、左右一対の前走行装置としての前車輪、左右一対の後走行装置としての後車輪、収穫装置及びエンジンを備えたトウモロコシ収穫機があった。
【先行技術文献】
【特許文献】
【０００３】
【特許文献１】中国実用新案公告第２０１３６９９３７号明細書
【発明の概要】
【発明が解決しようとする課題】
【０００４】
前走行装置及び後走行装置を有した走行車体及び走行車体に連結された収穫装置を備えたトウモロコシ収穫機にあっては、走行車体の自走を可能にするように、エンジン及びエンジン用の燃料タンクを配備される。走行車体の横側に植立するトウモロコシ植物体に走行車体側に傾斜や倒伏するものがあるとか、圃場から走行車体に跳ね上がる土塊や茎稈屑があっても、燃料タンクに触れるとか衝突することを回避し易いように、燃料タンクを走行車体の内側の奥深い箇所に配備する構成を採用された場合、燃料タンク及び燃料タンクに接続された給油管を点検や交換するなど、燃料タンクに対する作業を行ない難い。つまり、走行車体の外部から燃料タンクに手が届き難い。また、燃料タンクを車体外に取り出せば、取り外し作業に手間が掛かる。
【０００５】
本発明の目的は、燃料タンクの損傷を回避し易いものでありながら、燃料タンクに対する作業を行ない易いトウモロコシ収穫機を提供することにある。
【課題を解決するための手段】
【０００６】
本発明によるトウモロコシ収穫機は、
左右一対の前走行装置及び左右一対の後走行装置を有した走行車体と、
前記走行車体の前部に連結され、圃場からトウモロコシを収穫する収穫装置と、
前記走行車体の横一端部における前記前走行装置と前記後走行装置との間に配備され、エンジンに燃料供給する燃料タンクと、
前記燃料タンクの車体横外側方を覆うカバー状態と前記燃料タンクの車体横外側方を開放したカバー解除状態とに切換え自在なサイドカバーと、
を備えたことを特徴とする。
【０００７】
本構成によると、サイドカバーをカバー解除状態にすれば、燃料タンクの車体横外側方が前走行装置と後走行装置の間で開放されることにより、また、燃料タンクが走行車体の横一端部に位置していることにより、燃料タンクの車体横外側近くに作業スペースを確保し易い。燃料タンクの車体横外側近くに作業スペースを確保し易いことにより、走行車体に配備したままの燃料タンクに対して走行車体横外側から手が届き易い。
このように、燃料タンクの走行車体横外側近くに作業スペースを確保し易いように燃料タンクが走行車体の横一端部に位置しているが、サイドカバーをカバー状態にすれば、燃料タンクの車体横外側方がサイドカバーによって覆われるから、走行車体側に倒伏や傾斜するトウモロコシ植物体、あるいは跳ね上がった茎稈屑や土塊などが燃料タンクに触れ難いように、燃料タンクをサイドカバーによってガードすることができる。
【０００８】
従って、本発明によると、トウモロコシ植物体や茎稈屑などの接触や衝突による燃料タンクの損傷をサイドカバーによって回避し易いものでありながら、燃料タンクに対する点検などの作業を行なうのに、燃料タンクの近くに作業スペースを確保し易いと共に燃料タンクに手が届き易くて楽にかつ能率よく作業できる。
【０００９】
本発明において、前記燃料タンクが前記走行車体の前部に設けた運転部と前記走行車体の後部に設けたトウモロコシ回収タンクとの間に位置し、前記サイドカバーの走行車体前後方向長さを、前記サイドカバーの前端が前記燃料タンクと前記運転部との間に位置し、前記サイドカバーの後端が前記燃料タンクと前記トウモロコシ回収タンクとの間に位置する走行車体前後方向長さに設定すると好適である。
【００１０】
本構成によると、カバー状態のサイドカバーが燃料タンクから走行車体前方側及び走行車体後方側に突出する状態で燃料タンクの走行車体横外側方に位置するから、トウモロコシ植物体や茎稈屑などが燃料タンクに真横から入り込むことを防止できるのみならず、サイドカバーの前側及び後側から燃料タンクに廻り込むことも回避し易い。
【００１１】
従って、本発明によると、トウモロコシ植物体や茎稈屑などの燃料タンクに対する接触や衝突をより精度よく防止できる。
【００１２】
本発明において、前記トウモロコシ回収タンクを、走行車体前後向きの揺動軸芯まわりに揺動自在に支持され、トウモロコシ出入口が走行車体横外向きになった排出姿勢と、前記トウモロコシ出入口が走行車体上方向きになった貯留姿勢とに切り換わるように構成すると好適である。
【００１３】
本構成によると、サイドカバーをカバー状態にしたままでも、サイドカバーの後方にトウモロコシ回収タンクの移動経路を確保できて、トウモロコシ回収タンクを排出姿勢に切り換えることができる。
【００１４】
従って、本発明によると、トウモロコシ回収タンクに貯留されたトウモロコシを排出する作業を行なうのに、サイドカバーをカバー解除状態に切り換える手間が不要で迅速に作業できる。
【００１５】
本発明において、前記燃料タンクの上方に作業台を備えると好適である。
【００１６】
本構成によると、燃料タンクの上方を覆うカバー機能を作業台に備えさせた簡単な構造により、燃料タンクの上方に入り込んだトウモロコシ植物体などが燃料タンクに触れるとか当たることを防止できる。
【００１７】
従って、本発明によると、トウモロコシ植物体や茎稈屑などによる燃料タンクの損傷を効果的に回避できるトウモロコシ収穫機を得るのに、作業台をガード手段として利用することだ安価に得ることができる。
【００１８】
本発明において、前記サイドカバーが前記カバー状態と前記カバー解除状態とに揺動軸芯まわりに切換え自在に支持されると好適である。
【００１９】
本構成によると、サイドカバーの荷重を揺動支点に支持させながらサイドカバーをカバー状態とカバー解除状態とに切り換え操作できる。
【００２０】
従って、本発明によると、サイドカバーをカバー状態とカバー解除状態とに切り換えるのに、サイドカバーの荷重を揺動支点に支持させて楽にできる。
【００２１】
本発明において、前記揺動軸芯が走行車体上下向きに設定されると好適である。
【００２２】
本構成によると、サイドカバーを走行車体前後方向に揺動させてカバー状態とカバー解除状態に切り換えるものだから、サイドカバーの配置高さを一定に維持しながら、サイドカバーをカバー状態とカバー解除状態に切り換えることができる。
【００２３】
従って、本発明によると、サイドカバーをカバー状態とカバー解除状態に切り換えるのに、サイドカバーの配置高さを一定に維持しながらサイドカバーを揺動操作できて、操作し易い。
【００２４】
本発明において、前記揺動軸芯が走行車体前後向きに設定されると好適である。
【００２５】
本構成によると、サイドカバーを走行車体上下方向に揺動させてカバー状態とカバー解除状態に切り換えるものだから、サイドカバーの重量を下降操作力に利用してサイドカバーを下降揺動させることができる。
【００２６】
従って、本発明によると、サイドカバーを下降揺動させるのに、サイドカバーの重量を下降操作力に利用して楽にできる。
【００２７】
本発明において、前記揺動軸芯が前記カバー状態のサイドカバーの上端側に位置すると好適である。
【００２８】
本構成によると、サイドカバーを走行車体上下方向に揺動させてカバー状態とカバー解除状態に切り換えるものだから、サイドカバーの重量を下降操作力に利用してサイドカバーを下降揺動させることができる。また、サイドカバーのほぼ全体を上昇揺動させてカバー解除状態に切り換えことができるから、サイドカバーのほぼ全体を上方に退避させて燃料タンクの走行車体横外側方を上下方向に広い範囲にわたって開放することができる。
【００２９】
従って、本発明によると、サイドカバーを下降揺動させるのに、サイドカバーの重量を下降操作力に利用して楽にできるのみならず、燃料タンクに対する作業を行なうのに、燃料タンクの走行車体横外側方を上下方向に広い範囲にわたって開放して楽にできる。
【００３０】
本発明において、前記サイドカバーの前記カバー解除状態での取付姿勢を水平又はほぼ水平の取付姿勢に設定すると好適である。
【００３１】
本構成によると、サイドカバーをカバー解除状態に切り換えて燃料タンクの走行車体横外側を開放しても、サイドカバーが水平又はほぼ水平の取付姿勢になっていることにより、燃料タンクの上方スペースを、走行車体横外側がサイドカバーによって覆われず、開放されたままにできる。
【００３２】
従って、本発明によると、例えば、燃料タンクの上方に作業台を備えてある場合、サイドカバーをカバー解除状態に切り換えて燃料タンクに対する作業を行なう際、作業台の走行車体横外側も開放されていて作業台を利用し易いなど有利である。
【００３３】
本発明において、前記燃料タンクの上方に作業台を備え、前記サイドカバーを、前記走行車体に装備されて前記作業台を支持する作業台支持フレームに支持すると好適である。
【００３４】
本構成によると、サイドカバーを揺動自在に支持する支持機能を作業台支持フレームに備えさせた簡単な支持構造で、サイドカバーをカバー状態とカバー解除状態とに揺動切換え自在にできる。
【００３５】
従って、本発明によると、サイドカバーをカバー状態とカバー解除状態とに揺動によって楽に切り換えることができるものを、簡単な支持構造で済ませて安価に得ることができる。
【００３６】
本発明において、前記サイドカバーを揺動自在に支持するヒンジが前記サイドカバーと前記作業台支持フレームとに連結されると好適である。
【００３７】
本構成によると、サイドカバーを揺動自在に支持する支持機能を作業台支持フレームに備えさせた簡単な支持構造で、かつヒンジをサイドカバーと作業台支持フレームとに連結したコンパクトな支持構造で、サイドカバーをカバー状態とカバー解除状態とに揺動切換え自在にできる。
【００３８】
従って、本発明によると、サイドカバーをカバー状態とカバー解除状態とに揺動によって楽に切り換えることができるものを、簡単かつコンパクトな支持構造で済ませて安価にかつコンパクトに得ることができる。
【００３９】
本発明において、前記サイドカバーを前記カバー解除状態に突張り支持によって固定するロック状態と、前記サイドカバーに対する突張り支持を解除したロック解除状態とに切換え自在な突張り手段を備えると好適である。
【００４０】
本構成によると、サイドカバーをカバー解除状態に切り換えた際、サイドカバーをカバー解除状態に支持する手間を掛けなくても、ロック状態に切り換えた突張り手段によってサイドカバーをカバー解除状態に保持することができる。
【００４１】
従って、本発明によると、燃料タンクに対する作業を行なうのに、サイドカバーをカバー解除状態に保持するための特別な手間や道具を掛けるとか準備することなくサイドカバーをカバー解除状態に保持しておいて楽に作業できる。
【００４２】
本発明において、前記燃料タンクの上方に作業台を備え、前記突張り手段を、前記走行車体に装備されて前記作業台を支持する作業台支柱に支持されるように構成すると好適である。
【００４３】
本構成によると、突張り手段を支持する支持機能を作業台支柱に備えせた簡単な支持構造で突張り手段を装備できる。
【００４４】
従って、本発明によると、カバー解除状態に切り換えたサイドカバーを特別な手間や道具を必要とせずにカバー解除状態に保持できるものを、突張り手段を簡単な支持構造によって装備して安価に得ることができる。
【００４５】
本発明において、前記突張り手段が屈伸リンクであると好適である。
【００４６】
本構成によると、突張り手段を屈折リンクによって構造簡単かつ軽量に構成できる。
【００４７】
従って、本発明によると、カバー解除状態に切り換えたサイドカバーを特別な手間や道具を必要とせずにカバー解除状態に保持できるものを、突張り手段の面から構造簡単かつ軽量に得ることができる。
【００４８】
本発明において、前記サイドカバーを前記カバー状態に固定するロック具を備えると好適である。
【００４９】
本構成によると、サイドカバーをカバー状態にロック具によって固定して、サイドカバーのガタ付きや不用意なカバー状態からの切り換わりを防止できる。
【００５０】
従って、本発明によると、サイドカバーがガタ付けや不用意な切り換わりによって変形や破損することを防止できる。
【００５１】
本発明において、前記サイドカバーを前記カバー解除状態に突張り支持によって固定する伸展状態と、前記サイドカバーの突っ張り支持を解除した屈曲状態とに切換え自在な屈伸リンクを備え、前記ロック具を、前記サイドカバー及びロック具支持部に対して装着されることによって前記サイドカバーをカバー状態に固定するように構成し、かつ前記サイドカバー及び前記ロック具支持部から取り外して前記屈伸リンクに装着されることによって前記屈伸リンクを前記伸展状態に固定するように構成すると好適である。
【００５２】
本構成によると、屈伸リンクを伸展状態に固定するリンク固定機能、及びサイドカバーをカバー状態に固定するカバー固定機能を同一のロック具に備えさせた簡単な固定手段で、屈伸リンクを伸展状態に固定でき、サイドカバーをカバー状態に固定できる。
屈伸リンクを伸展状態に固定する際、サイドカバーをカバー解除状態に切り換えていて、ロック具をサイドカバーから屈伸リンクに付け替え、サイドカバーをカバー状態に固定する際、屈伸リンクが屈曲状態にあって、ロック具を屈伸リンクからサイドカバーに付け替えるものだから、ロック具を不使用状態にすることがないものである。
【００５３】
従って、本発明によると、屈伸リンクを伸展状態に固定してサイドカバーをカバー解除状態に保持することも、サイドカバーをカバー状態に固定してサイドカバーのガタ付きなどを防止することもできるものを、ロック具を共用した簡単な固定手段によって有利に得られる。
また、ロック具を使用せずに紛失されることを回避し易い。
【００５４】
本発明において、前記サイドカバーの走行車体前方側の端部の形状を、走行車体後方側ほど走行車体横外側に位置する傾斜形状にすると好適である。
【００５５】
本構成によると、走行車体横側に植立するトウモロコシ植物体が走行車体側に傾斜や倒伏することがあっても、サイドカバーの端部の傾斜形状によって走行車体横外側に押し出させることができる。
【００５６】
従って、本発明によると、トウモロコシ植物体を走行車体横外側に押し出する機能をサイドカバーに備えさせた簡単な手段で、トウモロコシ植物体の走行車体側への巻き込みやサイドカバーによる切断を回避し易い。
【図面の簡単な説明】
【００５７】
【図１】トウモロコシ収穫機の全体を示す側面図である。
【図２】トウモロコシ収穫機の全体を示す平面図である。
【図３】トウモロコシ回収タンクを示す後面図である。
【図４】燃料タンク及び作業台の支持構造を示す側面図である。
【図５】燃料タンク及び作業台の支持構造であって、分解状態の支持構造を示す斜視図である。
【図６】カバー解除状態のサイドカバーを示す縦断正面図である。
【図７】カバー状態のサイドカバーを示す縦断正面図である。
【図８】屈伸リンクの突張り支持作用を示す説明図である。
【図９】別の実施構造を備えたサイドカバーを示す斜視図である。
【発明を実施するための形態】
【００５８】
以下、本発明の実施の形態を図面に基づいて説明する。
図１は、本発明の実施例に係るトウモロコシ収穫機の全体を示す側面図である。図２は、本発明の実施例に係るトウモロコシ収穫機の全体を示す平面図である。図１，２に示すように、本発明の実施例に係るトウモロコシ収穫機は、左右一対の前走行装置としての前車輪１，１、左右一対の後走行装置としての操向操作自在な後車輪２，２を有し、左右の前車輪１，１が原動部４に設けたエンジン４ａからの駆動力によって駆動されて自走するよう構成した走行車体と、走行車体の前部に連結され、昇降シリンダ５によってデバイダ１１の先端側が圃場面近くに下降した下降作業状態と、デバイダ１１の先端側が圃場面から高く上昇した上昇非作業状態とに昇降操作される収穫装置６と、走行車体の後部に設けた収穫物回収タンク７と、収穫装置６の後部と収穫物回収タンク７の上方とにわたって設けた搬送装置８と、走行車体の前後輪間の部位に昇降操作自在に支持された残稈処理装置９とを備えている。
【００５９】
走行車体は、走行車体の前部に設けた運転部３を備え、運転部３に搭乗して運転するように乗用型に構成してある。運転部３には、運転キャビン３ａを備えてある。搬送装置８は、運転キャビン３ａの下方を通るように配備してある。搬送装置８の搬送終端部には、搬送装置８から回収タンク７に供給されるトウモロコシに選別風を供給するファン装置８ａ、搬送装置８によって搬送されるトウモロコシに混入した茎稈や葉を除去する除去装置８ｂを設けてある。
【００６０】
トウモロコシ収穫機は、収穫装置６を下降作業状態にして走行車体を走行させることにより、収穫装置６によってトウモロコシ植物体のうちのトウモロコシ（種子が棒状に連なって房になっている部位）を収穫し、収穫装置６からのトウモロコシを搬送装置８によって走行車体後方側に搬送し、搬送装置８からのトウモロコシをトウモロコシ回収タンク７に回収して貯留していく。トウモロコシ収穫機は、収穫装置６がトウモロコシを収穫する際に圃場に植立状態で残した茎稈を残稈処理装置９によって細断して圃場に放出していく。
【００６１】
収穫装置６について説明する。
図２に示すように、収穫装置６は、３列の収穫経路１２と、収穫経路１２の後側に駆動回動自在に設けられ、各収穫経路１２からのトウモロコシを搬送デッキ１３に沿わせて走行車体横方向に搬送して搬送装置８の前方に寄せ集める回転オーガ１４と、回転オーガ１４の左右の螺旋搬送板１４ａ，１４ａの間の部位に一体回転自在に設けられ、トウモロコシを搬送装置８の入口に掻き込む掻込羽根１５とを備えている。各収穫経路１２の両横側に、駆動回動自在な無端回動収穫チェーン１６、及び無端回動収穫チェーン１６の下方に走行車体前後向きの軸芯まわりに駆動回動自在に配備した収穫ロール１６ａを備えてある。各収穫経路１２に備えてある無端回動収穫チェーン１６及び収穫ロール１６ａは、デバイダ１１から送り込まれたトウモロコシ植物体を後方に移送しながら、トウモロコシ植物体のうちのトウモロコシを茎稈から引き離して収穫する。
【００６２】
トウモロコシ回収タンク７について説明する。
以下、トウモロコシ回収タンク７を回収タンク７と略称する。回収タンク７には、上端部における横一端側の前後側に設けた取付部材２１を備えてある。前後一対の取付部材２１，２１は、回収タンク７の前後側に振り分け配置して車体フレームＦに立設された前後一対のタンク支柱２２，２２に一本の支軸２３を介して回転自在に支持されており、回収タンク７は、支軸２３の軸芯で成り、回収タンク７の上端部の横外側に位置する走行車体前後向きの揺動軸芯Ｐまわりに揺動自在に支持されている。
【００６３】
図３に実施で示すように、回収タンク７は、回収タンク７の前後側に設けられた昇降シリンダ２４によって、底側が車体フレームＦに対して下降する側に揺動操作されることによって貯留姿勢になる。回収タンク７は、貯留姿勢になると、回収タンク７の上端部に設けてあるトウモロコシ出入口７ａが走行車体上方向きになってトウモロコシ出入口７ａに搬送装置８からのトウモロコシが落下し、収穫装置６によって収穫されたトウモロコシを回収して貯留する。
【００６４】
図３に二点鎖線で示すように、回収タンク７は、昇降シリンダ２４によって、底側が車体フレームＦに対して上昇する側に揺動操作されることによって排出姿勢になる。回収タンク７は、排出姿勢になると、トウモロコシ出入口７ａが走行車体左横外向きになり、貯留していたトウモロコシをトウモロコシ出入口７ａから走行車体の左横外側に自然落下によって排出する
【００６５】
前後のタンク支柱２２は、車体フレームＦの横端部から立設されている。前後のタンク支柱２２は、上端側が車体フレームＦよりも車体左横外側に張り出た傾斜姿勢になっている。各タンク支柱２２の上端部と、車体フレームＦのうちタンク支柱２２が連結している部位よりも走行車体横内側に位置する部位とにわたり、補強用のタンク支柱２５が連結されている。前のタンク支柱２２と後のタンク支柱２２とは、回収タンク７の走行車体横外側に位置する一対の補強杆２６，２６によって連結されている。一対の補強杆２６，２６のうちの一方の補強杆２６は、前のタンク支柱２２の上端部と後のタンク支柱２２の下端部とに連結され、他方の補強杆２６は、前のタンク支柱２２の下端部と後のタンク支柱２２の上端部とに連結されている。
【００６６】
走行車体について説明する。
図１，２に示すように、走行車体の左横一端部における前車輪１と後車輪２との間の部位にエンジン４ａのための燃料タンク３０、及び燃料タンク３０の車体横外側を覆うサイドカバー３１を設け、燃料タンク３０の上方に作業台３２を配備してある。
【００６７】
燃料タンク３０について説明する
図４，５に示すように、車体フレームＦを構成する左右一対の走行車体前後向きのメインフレーム２０，２０のうちの左のメインフレーム２０の走行車体横外側の部位であって、前車輪１と後車輪２との間の部位に、前後一対の走行車体横向きのタンク支持アーム３６，３７を設けてある。前後のタンク支持アーム３６，３７の走行車体横外側の端部は、走行車体前後向きの連結部材４０によって連結されている。前後一対のタンク支持アーム３６，３７と、連結部材４０と、前後一対のタンク支持アーム３６，３７及び連結部材４０に載せ付けた板状のタンク載置部材３８とを備えて、タンク支持台３９を構成してある。タンク載置部材３８は、タンク載置部材３８の車体横内側端部に設けたブラケット３８ａと、前後のタンク支持アーム３６，３７に設けたブラケット３６ａ，３７ａとを連結することで固定されるように構成してある。
つまり、燃料タンク３０は、タンク載置部材３８に載せてタンク支持台３９に支持させるようになっている。
【００６８】
前後一対のタンク支持アーム３６，３７のうちの前のタンク支持アーム３６は、左のメインフレーム２０から走行車体横外側に延出されている。前のタンク支持アーム３６は、縦断面形状が下向き開口のＵ字形状に形成された部材によって構成してある。前後一対のタンク支持アーム３６，３７のうちの後のタンク支持アーム３７は、左右一対のメインフレーム２０，２０の上面にわたって連結され、左右一対のメインフレーム２０，２０を連結する状態で車体フレームＦを構成している走行車体横向きの連結フレーム４１の一端部であって、左のメインフレーム２０から走行車体横外側に突出している一端部によって構成してある。
【００６９】
作業台３２について説明する。
作業台３２は、前記ファン装置８ａ及び前記除去装置８ｂなどを点検や修理するとか、回収タンク７の内部を観察するなど、搬送装置８及び回収タンク７に対する作業を行うのに使用するものであり、次の如く構成してある。
【００７０】
図４，５に示すように、燃料タンク３０の収容空間における走行車体横外側の前後の隅角部、及び燃料タンク３０の収容空間における走行車体横内側の前後の隅角部に作業台支柱４２，４３を設けてある。走行車体横外側の前後一対の作業台支柱４２，４２と、走行車体横内側の前後一対の作業台支柱４３，４３と、前後一対の作業台支柱４２，４２の上端部にわたって連結した走行車体前後向きの作業台支持フレーム４４と、前後一対の作業台支柱４３，４３の上端部にわたって連結した走行車体前後向きの作業台支持フレーム４５とを備えて、作業台支持構造体を構成してある。左右一対の作業台支持フレーム４４，４５に作業台３２を構成する板部材を載せ付けてある。
【００７１】
走行車体横外側の後の作業台支柱４２と、走行車体横内側の後の作業台支柱４３との上端側が連結部材４８によって連結されている。作業台３２の裏面側に連結した縦板部材４６を前の作業台支柱４２に連結ボルト４６ａによって固定し、作業台３２を構成する板部材の前端側に設けた折曲げ端部３２ａを、車体フレームＦのうちの運転フレーム部４７を構成する部材に設けた支持部４７ａに連結ボルト３２ｂによって固定することにより、作業台３２の固定を行ってある。
【００７２】
走行車体横外側の前後一対の作業台支柱４２，４２の下端部は、タンク載置部材３８の横端部に設けた支持部を介してタンク支持アーム３６，３７に連結されている。
【００７３】
作業台３２の上方に、作業台上の作業スペースを囲う機能を備えた手摺り３３を配備してある。作業台３２に対する乗り降りは、図１，２に示す如く運転キャビン３ａの出入口の外側に設けてある乗降ステップ３ｂ、及び乗降ステップ３ｂに通じる乗降階段３ｃから行うようになっている。乗降階段３ｃは、前車輪１の横外側に位置した使用用の取付け位置と、前車輪１の後方に位置した格納位置とに揺動切換え自在に支持されている。
【００７４】
サイドカバー３１について説明する。
サイドカバー３１は、運転キャビン３ａの後方箇所と回収タンク７の前方近くの箇所とにわたって位置する走行車体前後方向長さＬを備えて構成してある。つまり、サイドカバー３１の走行車体前後方向長さＬは、サイドカバー３１の前端３１Ｆが燃料タンク３０と運転部３との間に位置し、サイドカバー３１の後端３１Ｒが燃料タンク３０と回収タンク７との間に位置する走行車体前後方向長さに設定してある。サイドカバー３１の前端３１Ｆの形状を走行車体上下方向に沿った鉛直線形状にしてある。サイドカバー３１の前端３１Ｆから下端３１Ｄに至る端縁３１ａの形状を、サイドカバー下端側ほど走行車体後方側に位置する傾斜形状にしてある。サイドカバー３１の後端３１Ｒの形状を走行車体上下方向に沿った鉛直線形状にしてある。サイドカバー３１の上端３１Ｕの形状を走行車体前後方向に沿った直線形状にしてある。
【００７５】
サイドカバー３１の走行車体前方側の端部であって、前端３１Ｆ及び端縁３１ａを備える端部３１ｃにおける表面側の形状を、走行車体後方側ほど走行車体横外側に位置する傾斜形状になるよう面取り形状にしてある。
【００７６】
従って、走行車体横外側に位置する植立状態のトウモロコシ植物体に走行車体側に傾斜や倒伏するものがあっても、走行車体前方側の端部３１ｃの傾斜形状によって走行車体横外側に押し出し操作され、傾斜や倒伏したトウモロコシ植物体が走行車体内側に巻き込まれることやサイドカバー３１によって切断されることを防止できる。
【００７７】
サイドカバー３１は、上端部に設けた前後一対のヒンジ５０，５０を介して走行車体横外側の作業台支持フレーム４４に支持させてある。従って、サイドカバー３１は、前後一対のヒンジ５０，５０によって設定される揺動軸芯であって、サイドカバー３１の上端側に位置する走行車体前後向きの揺動軸芯Ｘまわりに上下揺動操作することができ、上下揺動操作することにより、燃料タンク３０に対するカバー状態とカバー解除状態とに切り換わるようになっている。
【００７８】
図６は、カバー解除状態のサイドカバー３１を示す縦断正面図である。図６に示すように、サイドカバー３１を揺動軸芯Ｘまわりに上昇揺動操作し、サイドカバー３１の後端側に連結してある屈伸リンク５１が伸展状態になると、サイドカバー３１がカバー解除状態になる。サイドカバー３１は、カバー解除状態になると、燃料タンク３０の走行車体横外側を開放し、燃料タンク３０に対する走行車体横外側からの点検や給油作業を容易にする。サイドカバー３１は、カバー解除状態になると、水平又はほぼ水平の取付姿勢になる。
【００７９】
図７は、カバー状態のサイドカバー３１を示す縦断正面図である。図７に示すように、サイドカバー３１を揺動軸芯Ｘまわりに下降揺動操作し、屈伸リンク５１が収縮してサイドカバー３１の下端部がタンク支持台３９の走行車体横外側にタンク支持台３９に沿って位置すると、サイドカバー３１がカバー状態になる。サイドカバー３１は、カバー状態になると、燃料タンク３０の車体横外側方を覆い、走行車体横外側方に位置する植立状態のトウモロコシ植物体、残稈処理装置９による細断処理などに起因して圃場から跳ね上がった茎稈屑などが燃料タンク３０に触れるとか衝突することを防止する。
【００８０】
前後のヒンジ５０は、サイドカバー３１と走行車体横外側の作業台支持フレーム４４とにわたって連結してある。具体的には、前後のヒンジ５０は、サイドカバー３１の上端部の裏面側に固定されたカバー側ヒンジ体５０ａと、作業台支持フレーム４４に固定された作業台側ヒンジ体５０ｂと、カバー側ヒンジ体５０ａと作業台側ヒンジ体５０ｂとにわたって装着され、カバー側ヒンジ体５０ａを作業台側ヒンジ体５０ｂに対して揺動軸芯Ｘまわりに回動自在に連結しているヒンジピン５０ｃとを備えて構成してある。カバー側ヒンジ体５０ａは、サイドカバー３１の上端部の裏面側にサイドカバー３１の前後方向に沿わせて設けた補強材３１ｅに連結してある。
【００８１】
図４，６に示すように、屈伸リンク５１は、サイドカバー３１の裏面側に一端側が連結ピン５２を介して回動自在に連結されたカバー側リンク５１ａと、走行機体横外側の前後の作業台支柱４２，４２のうちの後側の作業台支柱４２に一端側が連結ピン５３を介して回動自在に連結された車体側リンクとしての支柱側リンク５１ｂと、カバー側リンク５１ａ及び支柱側リンク５１ｂの他端側どうしを相対回動自在に連結する連結ピン５４とを備えて構成してある。カバー側リンク５１ａは、サイドカバー３１の裏面側にサイドカバー３１の上下方向に沿わせて設けた補強材３１ｄに連結してある。
【００８２】
図６に示すように、屈伸リンク５１は、サイドカバー３１の上昇揺動に伴い、サイドカバー３１による引き操作によって伸展作動する。カバー側リンク５１ａと支柱側リンク５１ｂとは、サイドカバー３１がカバー解除状態に切り換わると、連結ピン５４の軸芯が連結ピン５２及び連結ピン５３の軸芯を通る直線Ｓよりも下方に位置したデッドポイント越えの伸展状態になる。図８に示すように、屈伸リンク５１は、デッドポイント越えの伸展状態になると、カバー側リンク５１ａ及び支柱側リンク５１ｂの他端部５１ｄどうしの当接により、サイドカバー３１の重量に抗して伸展状態を維持してサイドカバー３１をカバー解除状態に突張り支持するように構成してある。
【００８３】
サイドカバー３１をカバー解除状態から下降揺動させるのに、連結ピン５４の軸芯が連結ピン５２及び連結ピン５３の軸芯を通る直線Ｓよりも上方に位置するように屈伸リンク５１を曲げ操作しながら、サイドカバー３１の下降揺動操作を開始すれば、この後、図７に示すように、屈伸リンク５１は、下降揺動するサイドカバー３１による押圧操作によって屈折作動してサイドカバー３１に対する突張り支持を解除し、サイドカバー３１のカバー状態への下降揺動を可能にするよう構成してある。
【００８４】
従って、屈伸リンク５１は、サイドカバー３１をカバー解除状態に突張り支持するロック状態と、サイドカバー３１に対する突張り支持を解除したロック解除状態とに切換え自在な突張り手段を構成している。屈伸リンク５１は、サイドカバー３１がカバー解除状態に切り換わると、ロック状態に自ずと切り換わり、サイドカバー３１をカバー解除状態に突張り支持する。
【００８５】
図４，５に示すように、サイドカバー３１の後端側の下部にロック孔５６を設け、走行車体横外側の前後一対の作業台支柱４２，４２のうちの後の作業台支柱４２にロック具支持部５７を設けてある。ロック具支持部５７には、サイドカバー３１のロック孔５６に装着されたノブ付ボルト５８を螺合させて、ノブ付ボルト５８によってサイドカバー３１をロック具支持部５７に締め付け固定させる雌ネジ孔５７ａを設けてある。
【００８６】
従って、サイドカバー３１をカバー状態に切り換えた際、サイドカバー３１とロック具支持部５７とにわたって脱着自在なノブ付ボルト５８を装着することにより、サイドカバー３１をノブ付ボルト５８によってカバー状態に固定できる。従って、ノブ付ボルト５８は、サイドカバー３１をカバー状態に固定するロック具を構成している。
【００８７】
図８に示すように、屈伸リンク５１のカバー側リンク５１ａ及び支柱側リンク５１ｂに、ノブ付ボルト５８の脱着が可能なロック孔５９を設けてある。カバー側リンク５１ａ及び支柱側リンク５１ｂのロック孔５９にわたってノブ付ボルト５８を装着し、カバー側リンク５１ａ又は支柱側リンク５１ｂとノブ付ボルト５８との螺合によってノブ付ボルト５８の離脱を防止することにより、カバー側リンク５１ａと支柱側リンク５１ｂとが屈伸リンク５１を伸展状態にする係合状態にノブ付ボルト５８によって連結されるように構成してある。
【００８８】
従って、屈伸リンク５１が伸展状態に切り換わった際、サイドカバー３１及びロック具支持部５７から取り外したノブ付ボルト５８をカバー側リンク５１ａ及び支柱側リンク５１ｂに装着することにより、屈伸リンク５１をノブ付ボルト５８によって伸展状態に固定できる。
【００８９】
〔別実施形態〕
図９は、別の実施構造を備えたサイドカバー３１を示す斜視図である。図９に示すように、別の実施構造を備えたサイドカバー３１は、後端部に設けた上下一対のヒンジ５０を介して支柱６０に支持されている。従って、サイドカバー３１は、サイドカバー３１の走行車体後方側の端部に配備した走行車体上下向きの揺動軸芯Ｙまわりに走行車体前後方向に揺動操作することによってカバー状態とカバー解除状態とに切り換えられるように支持されている。
【００９０】
〔別実施例〕
（１）上記した実施例では、前車輪１を前走行装置として採用し、後車輪２を後走行装置として採用した例を示したが、前車輪１及び後車輪２に替えて、クローラ走行装置を前走行装置及び後走行装置として採用して実施してもよい。
【００９１】
（２）上記した実施例では、燃料タンク３０及びサイドカバー３１を走行車体の左側の横端部に配備した例を示したが、右側の横端部に配備して実施してもよい。
【００９２】
（３）上記した実施例では、トウモロコシ回収タンク７を排出姿勢に切り換えた状態において、トウモロコシ出入口７ａが走行車体左横外向きになるよう構成した例を示したが、トウモロコシ回収タンク７を排出姿勢に切り換えた状態において、トウモロコシ出入口７ａが走行車体右横外向きになるよう構成して実施してもよい。
【００９３】
（４）上記した実施例では、サイドカバー３１をカバー状態とカバー解除状態とに揺動自在に支持されるよう構成した例を示したが、サイドカバー３１が脱着自在に支持される支持構成を採用し、サイドカバー３１を取り外しによってカバー解除状態に切り換え、サイドカバー３１を装着によってカバー状態に切り換えるように構成して実施してもよい。
【００９４】
（５）上記した実施例では、屈伸リンク５１によって突張り手段を構成した例を示したが、サイドカバー３１と車体側とにわたって脱着自在な突張り棒、あるいは、車体側に揺動自在に支持され、車体側とは反対側の端部をサイドカバー３１に係脱操作するよう構成した突張り棒によって突張り手段を構成して実施してもよい。
【００９５】
（６）上記した実施例では、サイドカバー３１が作業台支持フレーム４４に支持されるよう構成した例を示したが、サイドカバー３１の支持専用に走行車体に設けた部材に支持されるよう構成して実施してもよい。
【００９６】
（７）上記した実施例では、ノブ付ボルト５８をロック具として採用した例を示したが、ロックピンなど各種のロック手段を採用して実施してもよい。
【産業上の利用可能性】
【００９７】
本発明は、トウモロコシ植物体のうち、茎稈を圃場に残してトウモロコシを収穫する収穫装置６、及びトウモロコシを回収して貯留するタンク７を備えるトウモロコシ収穫機の他、トウモロコシ植物体を刈り取る収穫装置、収穫装置からのトウモロコシを脱穀処理する脱穀装置を備えるトウモロコシ収穫機にも利用可能である。
【符号の説明】
【００９８】
１        前走行装置
２        後走行装置
４ａ      エンジン
６        収穫装置
７        トウモロコシ回収タンク
７ａ      出入口
３０      燃料タンク
３１      サイドカバー
３１Ｆ    前端
３１ｃ    端部
３１Ｒ    後端
３２      作業台
４２      作業台支柱
４４      作業台支持フレーム
５０      ヒンジ
５１      突張り手段（屈伸リンク）
５７      ロック具支持部
５８      ロック具
Ｐ        揺動軸芯
Ｘ，Ｙ    揺動軸芯
【図１】
2014198008.tif 000003
【図２】
2014198008.tif 000004
【図３】
2014198008.tif 000005
【図４】
2014198008.tif 000006
【図５】
2014198008.tif 000007
【図６】
2014198008.tif 000008
【図７】
2014198008.tif 000009
【図８】
2014198008.tif 000010
【図９】
2014198008.tif 000011